(57)【要約】【課題】本発明は、カウンタウエイトを上部旋回体に固定する固定部材の管理が容易な建設機械を提供することを課題とする。【解決手段】本発明に係る建設機械は、下部走行体と、この下部走行体上に水平方向に旋回可能に搭載される上部旋回体と、この上部旋回体に着脱可能に取り付けられるカウンタウエイトとを備える建設機械であって、上記カウンタウエイトが、上記上部旋回体から取り外されたときに上記カウンタウエイトを上記上部旋回体に固定するための固定部材を保持する保持部を有することを特徴とする。【選択図】図３
2018203509.tif 000002
【特許請求の範囲】
【請求項１】
下部走行体と、この下部走行体上に水平方向に旋回可能に搭載される上部旋回体と、この上部旋回体に着脱可能に取り付けられるカウンタウエイトとを備える建設機械であって、
上記カウンタウエイトが、上記上部旋回体から取り外されたときに上記カウンタウエイトを上記上部旋回体に固定するための固定部材を保持する保持部を有することを特徴とする建設機械。
【請求項２】
上記保持部が、上記カウンタウエイトの上面に突設され、上記固定部材を上記カウンタウエイトの上面から離間して支持する請求項１に記載の建設機械。
【請求項３】
上記固定部材が上記カウンタウエイトを貫通する通しボルトである請求項２に記載の建設機械。
【請求項４】
上記保持部が、上記固定部材を支持する支持部材と、この支持部材からの固定部材の脱離を防止する押さえ部材とを有する請求項１、請求項２又は請求項３に記載の建設機械。
【請求項５】
上記押さえ部材が上記支持部材に回動可能に接続されている請求項４に記載の建設機械。
【発明の詳細な説明】
【技術分野】
【０００１】
本発明は、建設機械に関する。
【背景技術】
【０００２】
例えばクレーン、油圧ショベル等の建設機械は、下部走行体の上に旋回可能な上部旋回体を備え、この上部旋回体の前端部に揺動可能なブームが取り付けられ、上部旋回体の後端部にカウンタウエイトを搭載することによって重量バランスを取るよう構成される。
【０００３】
建設機械の中には、例えばトラック輸送可能な重量の複数の部分に分割したり、狭小なスペースで上部旋回体を旋回可能としたりするために、カウンタウエイトを着脱可能としたものも少なくない。このように着脱可能なカウンタウエイトは、一般的に、例えば特開２０００−１４３１６５号公報に記載されるように、通しボルト等の固定部材（結合手段）を用いて上部旋回体に固定される。
【０００４】
カウンタウエイトを取り外して建設機械を使用又は輸送する場合、カウンタウエイトだけでなく固定部材も建設機械の本体とは別に保管又は輸送する必要がある。比較的小さい固定部材を別途保管又は輸送すると固定部材を紛失するおそれがある。また、固定部材を床に置いておくと、誤ってオペレータが踏んだり、カウンタウエイト等を上に載せることで、損傷するおそれがある。このように、従来の建設機械では、カウンタウエイトを上部旋回体に固定するために用いる固定部材の管理に注意が必要である。
【先行技術文献】
【特許文献】
【０００５】
【特許文献１】特開２０００−１４３１６５号公報
【発明の概要】
【発明が解決しようとする課題】
【０００６】
上記不都合に鑑みて、本発明は、カウンタウエイトを上部旋回体に固定する固定部材の管理が容易な建設機械を提供することを課題とする。
【課題を解決するための手段】
【０００７】
上記課題を解決するためになされた本発明に係る建設機械は、下部走行体と、この下部走行体上に水平方向に旋回可能に搭載される上部旋回体と、この上部旋回体に着脱可能に取り付けられるカウンタウエイトとを備える建設機械であって、上記カウンタウエイトが、上記上部旋回体から取り外されたときに上記カウンタウエイトを上記上部旋回体に固定するための固定部材を保持する保持部を有することを特徴とする。
【０００８】
当該建設機械は、上記カウンタウエイトが上記固定部材を保持する保持部を有するので、上記上部旋回体からカウンタウエイトを取り外したときに保持部に固定部材を保持させて、固定部材をカウンタウエイトと一体に取り扱うことができる。このため、固定部材の管理が容易であり、固定部材の紛失、損傷等のトラブルを防止することができる。
【０００９】
当該建設機械において、上記保持部が、上記カウンタウエイトの上面に突設され、上記固定部材を上記カウンタウエイトの上面から離間して支持してもよい。この構成によれば、上記固定部材がカウンタウエイトの上方に保持されるので、当該建設機械は、取り外したカウンタウエイトを吊り上げて移動させる際に誤って固定部材を他の物体に当接させることを防止できる。また、当該建設機械は、上記固定部材をカウンタウエイトの上面から離間して保持することによって、雨水等が固定部材に付着したままの状態となりにくく、固定部材の劣化を抑制することができる。
【００１０】
当該建設機械において、上記固定部材が上記カウンタウエイトを貫通する通しボルトであってもよい。この構成によれば、上記固定部材が通しボルトであることによって、カウンタウエイトを容易且つ確実に上部旋回体に固定することができる。また、通しボルトは、比較的長さが大きくなるが、上記カウンタウエイトの上面に突設された保持部によって保持されることによって、他の物体との干渉を防止することができる。
【００１１】
当該建設機械において、上記保持部が、上記固定部材を支持する支持部材と、この支持部材からの固定部材の脱離を防止する押さえ部材とを有してもよい。この構成によれば、上記押さえ部材によって上記固定部材の上記支持部材上からの脱離を防止するので、上記カウンタウエイトの取り扱いが容易となる。
【００１２】
当該建設機械において、上記押さえ部材が上記支持部材に回動可能に接続されていてもよい。この構成によれば、上記保持部が上記固定部材を保持していないときに上記押さえ部材が紛失することを防止できる。
【発明の効果】
【００１３】
本発明の建設機械は、カウンタウエイトを上部旋回体に固定する固定部材の管理が容易である。
【図面の簡単な説明】
【００１４】
【図１】本発明の一実施形態に係る建設機械を示す模式的側面図である。
【図２】図１の建設機械のカウンタウエイトを示す模式的背面図である。
【図３】図２の上側のカウンタウエイトを示す模式的斜視図である。
【図４】図３のカウンタウエイトの保持部を示す模式的側面図である。
【発明を実施するための形態】
【００１５】
以下、適宜図面を参照しつつ、本発明の実施の形態を詳説する。
【００１６】
［建設機械］
図１に、本発明の一実施形態に係る建設機械を示す。当該建設機械は、クローラークレーンである。
【００１７】
当該建設機械は、自走可能な下部走行体１と、下部走行体１上に水平に旋回可能に設けられる上部旋回体２と、上部旋回体２の前部に設けられるクレーンアタッチメント（作業具）３と、上部旋回体２の後端に着脱可能に取り付けられる複数のカウンタウエイト（第１カウンタウエイト４及び第２カウンタウエイト５）とを備える。
【００１８】
当該建設機械において、下部走行体１は、走行装置として一対のクローラー６を有する。また、クレーンアタッチメント３は、伸縮可能なテレスコピックブームを有する。
【００１９】
＜カウンタウエイト＞
第１カウンタウエイト４及び第２カウンタウエイト５は、クレーンアタッチメント３と反対側に重量を配置することによって、クレーンアタッチメント３の重量及びクレーンアタッチメント３で吊り上げる荷重により当該建設機械が上部旋回体２の前側に倒れることを防止する目的で設けられる。
【００２０】
第１カウンタウエイト４及び第２カウンタウエイト５は、上部旋回体２の旋回のために必要な空間を小さくするために、上部旋回体２と反対側の側面が上部旋回体２の回転中心からの距離が略一定となるような円筒面に近似する形状であることが好ましい。
【００２１】
当該建設機械は、上部旋回体２に第１カウンタウエイト４及び第２カウンタウエイト５を取り付けた状態、上部旋回体２から第１カウンタウエイト４及び第２カウンタウエイト５を取り外した状態、又は上部旋回体２から第２カウンタウエイト５だけを取り外した（第１カウンタウエイト４だけを取り付けた）状態で使用することができる。当該建設機械は、カウンタウエイト４，５を取り外すことで、上部旋回体２の旋回のために必要なスペースが小さくなるが、クレーンアタッチメント３によって吊り上げることができる重量は小さくなる。
【００２２】
第１カウンタウエイト４は、上部旋回体２の後端に設けられる凸部７によって支持され、第１カウンタウエイト４を水平方向に貫通する通しボルトからなる一対の第１固定部材８によって上部旋回体２に対して固定される。また、第２カウンタウエイト５は、第１カウンタウエイト４の上に載置され、第１カウンタウエイト４及び第２カウンタウエイト５を鉛直方向に貫通する一対の通しボルトからなる一対の第２固定部材９によって第１カウンタウエイト４に対して固定される。
【００２３】
図２及び図３に示すように、第１カウンタウエイト４及び第２カウンタウエイト５は、上面に吊り環１０が突設されている。第２カウンタウエイト５の底面には、第１カウンタウエイト４の吊り環１０を収容する凹部が形成されている。
【００２４】
第２カウンタウエイト５は、第１カウンタウエイト４が上部旋回体２から取り外されたときに分離される第１固定部材８を保持する第１保持部１１と、第２カウンタウエイト５が取り外されたときに第２固定部材９を保持する一対の第２保持部１２とを有する。
【００２５】
（固定部材）
第１固定部材８は、上部旋回体２に形成したタップ穴に螺合するよう構成され、例えば先端部だけが螺子部とされた長尺の六角ボルト等とすることができる。この第１固定部材８によって上部旋回体２に固定される第１カウンタウエイト４は、第１固定部材８が貫通する貫通穴の開口部に第１固定部材８の頭部を収容する座ぐりが設けられることが好ましい。
【００２６】
第２固定部材９は、直接的には第２カウンタウエイト５を第１カウンタウエイト４に対して固定することで、間接的に第２カウンタウエイト５を上部旋回体２に対して固定する。この第２固定部材９は、先端に外螺子が形成される棒状の軸体１３と、この軸体１３の後端に設けられ、第２カウンタウエイトの上面に載置される座板１４と、この座板１４の上面に突設される吊り環１５とを有する。
【００２７】
この第２固定部材９は、第１カウンタウエイト４及び第２カウンタウエイト５に形成される貫通穴に軸体１３が挿通され、軸体１３の先端にワッシャ１６が嵌装され、本体の外螺子にナット１７が螺合することにより、座板１４とワッシャ１６との間に第１カウンタウエイト４及び第２カウンタウエイト５を挟み込んで第２カウンタウエイト５を第１カウンタウエイト４上に固定する。また、第２固定部材９は、ナット１７の脱落を防止するピンを挿入可能に構成されることが好ましい。
【００２８】
第２固定部材９は、吊り環１５を用いて吊り上げることによって、軸体１３が鉛直方向下側に延びる状態となり、第１カウンタウエイト４及び第２カウンタウエイト５を鉛直方向に貫通するよう形成される貫通穴に挿入することができる。なお、第１カウンタウエイト４の底面には、ワッシャ１６及びナット１７を収容する座ぐりが設けられることが好ましい。
【００２９】
また、第２カウンタウエイト５の上面には、第２固定部材９で第２カウンタウエイト５を固定する状態で第２固定部材９の座板１４の側縁に隣接する突起１８が設けられることが好ましい。第２カウンタウエイト５がこのような突起１８を有することにより、第２固定部材９にナット１７を螺合させるときに第２固定部材９が供回りすることを防止できるので、第２固定部材９による第２カウンタウエイト５の固定が容易となる。
【００３０】
（保持部）
第１保持部１１は、図３に示すように、第２カウンタウエイト５の上部旋回体２の端部を受け入れる凹部内の上部旋回体２と干渉しないデッドスペースに設けられ、第１固定部材８が鉛直方向に挿入される穴又は筒を形成するよう構成されている。
【００３１】
第１保持部１１は、第１固定部材８の頭部を第２カウンタウエイト５の上に突出させるよう保持してもよい。これにより、第１保持部１１が占有するスペースを小さくすることができる。
【００３２】
一対の第２保持部１２は、第２カウンタウエイト５の上面に突設され、第２固定部材９を第２カウンタウエイト５の上面から離間して支持するよう構成される。具体的には、第２保持部１２は、図４に詳しく示すように、第２カウンタウエイト５の上面に第２固定部材９の長さよりも少し小さい間隔で立設されて第２固定部材９を支持する支持部材１９と、この支持部材１９からの第２固定部材９の脱離を防止する押さえ部材２０とを有する。支持部材１９は、第２固定部材９の軸体１３の螺子が設けられていない部分を支持することが好ましい。
【００３３】
支持部材１９は、上に延びる一対の側壁とこの一対の側壁の一方の側縁間を接続する背壁とを有し、一対の側壁の他方の側縁に第２固定部材９を受け入れる２つの受側切欠２１を有する。受側切欠２１は、斜め上方に傾斜して開口し、第２固定部材９を奧側に案内して保持するとともに、押さえ部材２０がない状態でも第２固定部材９が落下しないようになっている。
【００３４】
また、一対の支持部材１９の受側切欠２１の高さが等しいことで、第２固定部材９は第２カウンタウエイト５の上面に平行に保持される。なお、「平行」とは、相対角度が５°以下であることを意味するものとする。
【００３５】
押さえ部材２０は、支持部材１９の一対の側壁の間に配置される一対の側壁とこの一対の側壁の支持部材１９の背壁と反対側の側縁間を接続する前壁とを有し、その一対の側壁の前壁と反対側の側縁に第２固定部材９を受け入れる２つの押さえ側切欠２２を有する。この押さえ側切欠２２は、支持部材１９の受側切欠２１と組み合わされて、第２固定部材９を保持する穴を形成する。つまり、支持部材１９の受側切欠２１の開口部を押さえ部材２０によって封止することによって、受側切欠２１から第２固定部材９が脱離することを防止する。
【００３６】
押さえ部材２０は、下端が接続軸２３によって支持部材１９に対して回動可能に接続されており、第２固定部材９の支持部材１９からの脱離を可能にすることができるようになっている。このように、押さえ部材２０を下端を中心に回動可能としたことにより、押さえ部材２０が自身の重量によって下側に回動した状態を維持できるので、支持部材１９の受側切欠２１を開放して第２固定部材９の支持部材１９の受側切欠２１内への配置及び受側切欠２１からの取り出しが容易である。
【００３７】
また、押さえ部材２０は、支持部材１９に設けた長ナット２４に螺合可能な蝶ボルト２５を有し、第２固定部材９の支持部材１９からの脱離を防止する状態で固定することができる。
【００３８】
また、押さえ部材２０は、下端に係止突起２６を有し、支持部材１９に設けられるストッパ２７に当接して、接続軸２３周りの回動範囲を定めるようになっている。これにより、蝶ボルト２５が第２カウンタウエイト５に衝突して損傷することを防止できる。
【００３９】
＜利点＞
当該建設機械は、第２カウンタウエイト５が第１固定部材８を保持する第１保持部１１と第２固定部材９を保持する第２保持部１２とを有するので、上部旋回体２から第１カウンタウエイト４及び第２カウンタウエイト５を取り外したときに第１保持部１１及び第２保持部１２に第１固定部材８及び第２固定部材９を保持させることができる。このため、当該建設機械は、第１カウンタウエイト４及び第２カウンタウエイト５を取り外した場合に、第１固定部材８及び第２固定部材９を第２カウンタウエイト５と一体に取り扱うことができるので、第１固定部材８及び第２固定部材９の管理が容易であり、第１固定部材８及び第２固定部材９の紛失、損傷等のトラブルを防止することができる。
【００４０】
当該建設機械は、第２保持部１２が、第２カウンタウエイト５の上面に突設され、第２固定部材９が第２カウンタウエイト５の上方に保持されるので、取り外した第１カウンタウエイト４又は第２カウンタウエイト５を吊り上げて移動させる際に誤って第１固定部材８又は第２固定部材９を他の物体に当接させることを防止でき、第１固定部材８及び第２固定部材９の損傷を防止できる。
【００４１】
また、当該建設機械では、第２保持部１２が第２固定部材９を第２カウンタウエイト５の上面から離間して保持するため、雨水等が第２固定部材９に付着したままの状態となりにくく、第２固定部材９の錆等による劣化を抑制することができる。
【００４２】
当該建設機械において、第２固定部材９は、第２カウンタウエイト５を確実に固定できる構成として、第１カウンタウエイト４及び第２カウンタウエイト５を貫通する通しボルトとされている。このため、第２固定部材９は比較的長さが大きいが、第２保持部１２が第２固定部材９を第２カウンタウエイト５の上面に平行に保持するため、第２固定部材９の他の物体との干渉を効果的に防止することができる。
【００４３】
当該建設機械において、第２保持部１２は、第２固定部材９を支持する支持部材１９と、この支持部材１９からの第２固定部材９の脱離を防止する押さえ部材２０とを有しているので、第２固定部材９を確実に保持して第２カウンタウエイト５と一体化し、容易に取り扱うことができる。
【００４４】
また、当該建設機械において、押さえ部材２０は、支持部材１９に回動可能に接続されているので、第２保持部１２が第２固定部材９を保持していないときにも、押さえ部材２０が第２カウンタウエイト５から分離されず、押さえ部材２０の紛失を防止することができる。
【００４５】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００４６】
当該建設機械において、カウンタウエイトの数は任意である。複数のカウンタウエイトを備える場合、最も上側に配置されるカウンタウエイトに固定部材を保持する保持部を設けることが好ましい。
【００４７】
当該建設機械において、固定部材は、カウンタウエイトを上部旋回体に固定できるものであればよく、通しボルトに限られず、例えばクランプ等任意の構造を有するものであってもよい。
【００４８】
当該建設機械は、クローラークレーンに限られず、例えばホイールクレーン、油圧ショベル等であってもよい。
【００４９】
また当該建設機械がクレーンである場合、クレーンアタッチメントは、テレスコピックブームを有するものに限られず、ラチスブームを有するものであってもよい。
【００５０】
当該建設機械における保持部の構造は、上述の実施形態のように支持部材と押さえ部材とを有するものに限られず、任意の構成、例えばカウンタウエイトの上面に固定部材が嵌合するよう形成した凹部等であってもよい。
【産業上の利用可能性】
【００５１】
本発明に係る建設機械は、クレーンに特に好適に適用することができる。
【符号の説明】
【００５２】
１  下部走行体
２  上部旋回体
３  クレーンアタッチメント
４  第１カウンタウエイト
５  第２カウンタウエイト
６  クローラー
７  凸部
８  第１固定部材
９  第２固定部材
１０  吊り環
１１  第１保持部
１２  第２保持部
１３  軸体
１４  座板
１５  吊り環
１６  ワッシャ
１７  ナット
１８  突起
１９  支持部材
２０  押さえ部材
２１  受側切欠
２２  押さえ側切欠
２３  接続軸
２４  長ナット
２５  蝶ボルト
２６  係止突起
２７  ストッパ
【図１】
2018203509.tif 000003
【図２】
2018203509.tif 000004
【図３】
2018203509.tif 000005
【図４】
2018203509.tif 000006